(57)【要約】【課題】本開示の実施形態は、伝送ブロックを処理する方法を提供し、伝送ブロックを処理する方法はユーザ機器に適用される。【解決手段】方法は、スケジューリング・シグナリングを基地局から受信することであって、スケジューリング・シグナリングが、複数の伝送ブロックをスケジュールするように構成される、受信することと、複数の伝送ブロックを基地局に伝送すること、および／または、複数の伝送ブロックを基地局から受信することであって、複数の伝送ブロックのうちの２つの隣接した伝送ブロックが、既定の時間間隔で間隔を空けられる、伝送すること、および／または、受信することとを含む。本開示の実施形態によれば、伝送ブロックのうちの２つの隣接した伝送ブロックは、既定の時間間隔で間隔を空けられる。したがって、従来技術における伝送ブロックが連続的にスケジュールされるケースに比べて、ユーザ機器は、伝送ブロックが正しく伝送され、受信されることを保証するために、伝送ブロックのそれぞれに対応するリソースを処理するのに、より多くの時間を掛けることができる。【選択図】図１
2021532676.tif 000002
【特許請求の範囲】
【請求項１】
伝送ブロックを処理する方法であって、ユーザ機器に適用され、
スケジューリング・シグナリングを基地局から受信するステップであって、該スケジューリング・シグナリングが、複数の伝送ブロックをスケジュールするように構成される、ステップと、
該複数の伝送ブロックを該基地局に伝送するステップ、および／または、該複数の伝送ブロックを該基地局から受信するステップであって、該複数の伝送ブロックのうちの２つの隣接した伝送ブロックが、既定の時間間隔で間隔を空けられる、ステップと
を含む、方法。
【請求項２】
前記複数の伝送ブロックを前記基地局に伝送するステップ、または、前記複数の伝送ブロックを前記基地局から受信するステップの前に、前記基地局との通信プロトコルに基づいて、前記既定の時間間隔を決定するステップ
をさらに含む、請求項１に記載の方法。
【請求項３】
前記複数の伝送ブロックを前記基地局に伝送するステップ、または、前記複数の伝送ブロックを前記基地局から受信するステップの前に、前記ユーザ機器のデータ処理能力情報に基づいて、前記既定の時間間隔を決定するステップと、
前記既定の時間間隔を前記基地局に送信するステップと
をさらに含む、請求項１に記載の方法。
【請求項４】
前記既定の時間間隔を前記基地局に送信するステップが、
既定の時間間隔と指示情報との間の予め記憶された第１の関連関係に基づいて、前記既定の時間間隔に対応する指示情報を決定するステップと、
該指示情報を前記基地局に送信するステップと
を含み、
該第１の関連関係が、前記基地局に予め記憶される、
請求項３に記載の方法。
【請求項５】
前記複数の伝送ブロックを前記基地局に伝送するステップ、または、前記複数の伝送ブロックを前記基地局から受信するステップの前に、前記既定の時間間隔を前記基地局から受信するステップ
をさらに含む、請求項１に記載の方法。
【請求項６】
前記既定の時間間隔を前記基地局から受信するステップが、
伝送ブロックのデータ・サイズを前記基地局から受信するステップと、
データ・サイズと既定の時間間隔との間の予め記憶された第２の関連関係に基づいて、該データ・サイズに対応する前記既定の時間間隔を決定するステップと
を含み、
該第２の関連関係が、前記基地局に予め記憶される、
請求項５に記載の方法。
【請求項７】
前記既定の時間間隔を前記基地局から受信するステップが、
無線リソース制御シグナリングを受信することによって、複数の時間間隔を決定するステップと、
物理ダウンリンク制御チャネル・メッセージを受信することによって、該複数の時間間隔から前記既定の時間間隔を決定するステップと
を含む、請求項５に記載の方法。
【請求項８】
前記既定の時間間隔を前記基地局から受信するステップが、
前記ユーザ機器のデータ処理能力情報に基づいて、複数の時間間隔を決定するステップと、
無線リソース制御シグナリングまたは物理ダウンリンク制御チャネル・メッセージを受信することによって、該複数の時間間隔から前記既定の時間間隔を決定するステップと
を含む、請求項５に記載の方法。
【請求項９】
前記既定の時間間隔を前記基地局から受信するステップが、
伝送ブロックのデータ・サイズを前記基地局から受信するステップと、
該データ・サイズに基づいて複数の時間間隔を決定するステップと、
無線リソース制御シグナリングまたは物理ダウンリンク制御チャネル・メッセージを受信することによって、該複数の時間間隔から前記既定の時間間隔を決定するステップと
を含む、請求項５に記載の方法。
【請求項１０】
伝送ブロックを処理する方法であって、基地局に適用され、
スケジューリング・シグナリングをユーザ機器に送信するステップであって、該スケジューリング・シグナリングが、複数の伝送ブロックをスケジュールするように構成される、ステップと、
該複数の伝送ブロックを該ユーザ機器に伝送するステップ、および／または、該複数の伝送ブロックを該ユーザ機器から受信するステップであって、該複数の伝送ブロックのうちの２つの隣接した伝送ブロックが、既定の時間間隔で間隔を空けられる、ステップと
を含む、方法。
【請求項１１】
前記複数の伝送ブロックを前記ユーザ機器に伝送するステップ、または、前記複数の伝送ブロックを前記ユーザ機器から受信するステップの前に、前記ユーザ機器との通信プロトコルに基づいて、前記既定の時間間隔を決定するステップ
をさらに含む、請求項１０に記載の方法。
【請求項１２】
前記複数の伝送ブロックを前記ユーザ機器に伝送するステップ、または、前記複数の伝送ブロックを前記ユーザ機器から受信するステップの前に、前記既定の時間間隔を前記ユーザ機器から受信するステップ
をさらに含む、請求項１０に記載の方法。
【請求項１３】
前記既定の時間間隔を前記ユーザ機器から受信するステップが、
前記既定の時間間隔に対応する指示情報を前記ユーザ機器から受信するステップと、
既定の時間間隔と指示情報との間の予め記憶された第１の関連関係に基づいて、該指示情報に対応する前記既定の時間間隔を決定するステップと
を含む、請求項１２に記載の方法。
【請求項１４】
前記複数の伝送ブロックを前記ユーザ機器に伝送するステップ、または、前記複数の伝送ブロックを前記ユーザ機器から受信するステップの前に、前記既定の時間間隔を前記ユーザ機器に送信するステップ
をさらに含む、請求項１０に記載の方法。
【請求項１５】
前記既定の時間間隔を前記ユーザ機器に送信するステップが、
伝送ブロックのデータ・サイズを決定するステップと、
該データ・サイズを前記ユーザ機器に送信するステップと、
データ・サイズと既定の時間間隔との間の予め記憶された第２の関連関係に基づいて、該データ・サイズに対応する前記既定の時間間隔を決定するステップと
を含み、
該第２の関連関係が、前記ユーザ機器に予め記憶される、
請求項１４に記載の方法。
【請求項１６】
前記既定の時間間隔を前記ユーザ機器に送信するステップが、
無線リソース制御シグナリングで、複数の時間間隔を前記ユーザ機器に送信するステップと、
物理ダウンリンク制御チャネル・メッセージで、該複数の時間間隔の中から前記既定の時間間隔を前記ユーザ機器に指示するステップと
を含む、請求項１４に記載の方法。
【請求項１７】
前記既定の時間間隔を前記ユーザ機器に送信するステップが、
データ処理能力情報を前記ユーザ機器から受信するステップと、
該データ処理能力情報に基づいて、複数の時間間隔を決定するステップと、
該複数の時間間隔から前記既定の時間間隔を決定するステップと、
無線リソース制御シグナリングまたは物理ダウンリンク制御チャネル・メッセージで、前記既定の時間間隔を前記ユーザ機器に送信するステップと
を含む、請求項１４に記載の方法。
【請求項１８】
前記既定の時間間隔を前記ユーザ機器に送信するステップが、
伝送ブロックのデータ・サイズを決定するステップと、
伝送ブロックの該データ・サイズに基づいて複数の時間間隔を決定するステップと、
該複数の時間間隔から前記既定の時間間隔を決定するステップと、
無線リソース制御シグナリングまたは物理ダウンリンク制御チャネル・メッセージで、前記既定の時間間隔を前記ユーザ機器に送信するステップと
を含む、請求項１４に記載の方法。
【請求項１９】
伝送ブロックを処理するための装置であって、ユーザ機器に適用され、
スケジューリング・シグナリングを基地局から受信するように構成されたシグナリング受信モジュールであって、該スケジューリング・シグナリングが、複数の伝送ブロックをスケジュールするように構成される、シグナリング受信モジュールと、
該複数の伝送ブロックを該基地局に伝送すること、および／または、該複数の伝送ブロックを該基地局から受信することを行うように構成された通信モジュールであって、該複数の伝送ブロックのうちの２つの隣接した伝送ブロックが、既定の時間間隔で間隔を空けられる、通信モジュールと
を備える、装置。
【請求項２０】
前記複数の伝送ブロックを前記基地局に伝送すること、または、前記複数の伝送ブロックを前記基地局から受信することを前記通信モジュールが行う前に、前記基地局との通信プロトコルに基づいて、前記既定の時間間隔を決定するように構成された第１の決定モジュール
をさらに備える、請求項１９に記載の装置。
【請求項２１】
前記複数の伝送ブロックを前記基地局に伝送すること、または、前記複数の伝送ブロックを前記基地局から受信することを前記通信モジュールが行う前に、前記ユーザ機器のデータ処理能力情報に基づいて、前記既定の時間間隔を決定するように構成された第２の決定モジュールと、
前記既定の時間間隔を前記基地局に送信するように構成された間隔送信モジュールと
をさらに備える、請求項１９に記載の装置。
【請求項２２】
前記間隔送信モジュールが、
既定の時間間隔と指示情報との間の予め記憶された第１の関連関係に基づいて、前記既定の時間間隔に対応する指示情報を決定するように構成された指示決定サブモジュールと、
該指示情報を前記基地局に送信するように構成された指示送信サブモジュールと
を備え、
該第１の関連関係が、前記基地局に予め記憶される、
請求項２１に記載の装置。
【請求項２３】
前記複数の伝送ブロックが前記基地局に伝送されるか、前記基地局から受信されるかの前に、前記既定の時間間隔を前記基地局から受信するように構成された間隔受信モジュール
をさらに備える、請求項１９に記載の装置。
【請求項２４】
前記間隔受信モジュールが、
伝送ブロックのデータ・サイズを前記基地局から受信するように構成されたデータ・サイズ受信サブモジュールと、
データ・サイズと既定の時間間隔との間の予め記憶された第２の関連関係に基づいて、該データ・サイズに対応する前記既定の時間間隔を決定するように構成された対応関係決定サブモジュールと
を備え、
該第２の関連関係が、前記基地局に予め記憶される、
請求項２３に記載の装置。
【請求項２５】
前記間隔受信モジュールが、
無線リソース制御シグナリングを受信することによって、複数の時間間隔を決定するように構成されたシグナリング受信サブモジュールと、
物理ダウンリンク制御チャネル・メッセージを受信することによって、該複数の時間間隔から前記既定の時間間隔を決定するように構成されたメッセージ受信サブモジュールと
を備える、請求項２３に記載の装置。
【請求項２６】
前記間隔受信モジュールが、
前記ユーザ機器のデータ処理能力情報に基づいて、複数の時間間隔を決定するように構成された第１の間隔決定サブモジュールと、
無線リソース制御シグナリングまたは物理ダウンリンク制御チャネル・メッセージを受信することによって、該複数の時間間隔から前記既定の時間間隔を決定するように構成されたメッセージ受信サブモジュールと
を備える、請求項２３に記載の装置。
【請求項２７】
前記間隔受信モジュールが、
伝送ブロックのデータ・サイズを前記基地局から受信するように構成されたデータ・サイズ受信サブモジュールと、
該データ・サイズに基づいて複数の時間間隔を決定するように構成された第２の間隔決定サブモジュールと、
無線リソース制御シグナリングまたは物理ダウンリンク制御チャネル・メッセージを受信することによって、該複数の時間間隔から前記既定の時間間隔を決定するように構成されたメッセージ受信サブモジュールと
を備える、請求項２３に記載の装置。
【請求項２８】
伝送ブロックを処理するための装置であって、基地局に適用され、
スケジューリング・シグナリングをユーザ機器に送信するように構成されたシグナリング送信モジュールであって、該スケジューリング・シグナリングが、複数の伝送ブロックをスケジュールするように構成される、シグナリング送信モジュールと、
該複数の伝送ブロックを該ユーザ機器に伝送すること、および／または、該複数の伝送ブロックを該ユーザ機器から受信することを行うように構成された通信モジュールであって、該複数の伝送ブロックのうちの２つの隣接した伝送ブロックが、既定の時間間隔で間隔を空けられる、通信モジュールと
を備える、装置。
【請求項２９】
前記複数の伝送ブロックを前記ユーザ機器に伝送すること、または前記複数の伝送ブロックを前記ユーザ機器から受信することを前記通信モジュールが行う前に、前記ユーザ機器との通信プロトコルに基づいて、前記既定の時間間隔を決定するように構成された間隔決定モジュール
をさらに備える、請求項２８に記載の装置。
【請求項３０】
前記複数の伝送ブロックを前記ユーザ機器に伝送すること、または前記複数の伝送ブロックを前記ユーザ機器から受信することを前記通信モジュールが行う前に、前記既定の時間間隔を前記ユーザ機器から受信するように構成された間隔受信モジュール
をさらに備える、請求項２８に記載の装置。
【請求項３１】
前記間隔受信モジュールが、
前記既定の時間間隔に対応する指示情報を前記ユーザ機器から受信するように構成された指示受信サブモジュールと、
既定の時間間隔と指示情報との間の予め記憶された第１の関連関係に基づいて、該指示情報に対応する前記既定の時間間隔を決定するように構成された第１の対応関係決定サブモジュールと
を備える、請求項３０に記載の装置。
【請求項３２】
前記複数の伝送ブロックを前記ユーザ機器に伝送すること、または前記複数の伝送ブロックを前記ユーザ機器から受信することを前記通信モジュールが行う前に、前記既定の時間間隔を前記ユーザ機器に送信するように構成された間隔送信モジュール
をさらに備える、請求項２８に記載の装置。
【請求項３３】
前記間隔送信モジュールが、
伝送ブロックのデータ・サイズを決定するように構成されたデータ・サイズ決定サブモジュールと、
該データ・サイズを前記ユーザ機器に送信するように構成されたデータ・サイズ送信サブモジュールと、
データ・サイズと既定の時間間隔との間の予め記憶された第２の関連関係に基づいて、該データ・サイズに対応する前記既定の時間間隔を決定するように構成された第２の対応関係決定サブモジュールと
を備え、
該第２の関連関係が、前記ユーザ機器に予め記憶される、
請求項３２に記載の装置。
【請求項３４】
前記間隔送信モジュールが、
無線リソース制御シグナリングで、複数の時間間隔を前記ユーザ機器に送信するように構成されたシグナリング送信サブモジュールと、
物理ダウンリンク制御チャネル・メッセージで、該複数の時間間隔の中から前記既定の時間間隔を前記ユーザ機器に指示するように構成されたメッセージ送信サブモジュールと
を備える、請求項３２に記載の装置。
【請求項３５】
前記間隔送信モジュールが、
データ処理能力情報を前記ユーザ機器から受信するように構成された情報受信サブモジュールと、
該データ処理能力情報に基づいて、複数の時間間隔を決定するように構成された第１の間隔決定サブモジュールと、
該複数の時間間隔から前記既定の時間間隔を決定するように構成された第２の間隔決定サブモジュールと、
無線リソース制御シグナリングまたは物理ダウンリンク制御チャネル・メッセージで、前記既定の時間間隔を前記ユーザ機器に送信するように構成された間隔送信サブモジュールと
を備える、請求項３２に記載の装置。
【請求項３６】
前記間隔送信モジュールが、
伝送ブロックのデータ・サイズを決定するように構成されたデータ・サイズ決定サブモジュールと、
伝送ブロックの該データ・サイズに基づいて複数の時間間隔を決定するように構成された第３の間隔決定サブモジュールと、
該複数の時間間隔から前記既定の時間間隔を決定するように構成された第４の間隔決定サブモジュールと、
無線リソース制御シグナリングまたは物理ダウンリンク制御チャネル・メッセージで、前記既定の時間間隔を前記ユーザ機器に送信するように構成された間隔送信サブモジュールと
を備える、請求項３２に記載の装置。
【請求項３７】
電子デバイスであって、
プロセッサと、
該プロセッサによって実行可能な命令を記憶するためのメモリと
を備え、
該プロセッサが、請求項１から１８のいずれか１項に記載の伝送ブロックを処理する方法を実施するように構成される、
電子デバイス。
【請求項３８】
コンピュータ・プログラムを格納したコンピュータ可読ストレージ媒体であって、プロセッサによって該プログラムが実行されると、請求項１から１８のいずれか１項に記載の伝送ブロックを処理する方法のステップが実行される、コンピュータ可読ストレージ媒体。
【発明の詳細な説明】
【技術分野】
【０００１】
本開示は、通信技術の分野に関し、詳細には、伝送ブロックを処理するための方法、装置、電子デバイス、およびコンピュータ可読ストレージ媒体に関する。
【背景技術】
【０００２】
モノのインターネット（ＩｏＴ）は、近年、急速に成長している。マシン・タイプ・コミュニケーション（ＭＴＣ：Ｍａｃｈｉｎｅ  Ｔｙｐｅ  Ｃｏｍｍｕｎｉｃａｔｉｏｎ）技術および狭帯域のモノのインターネット（ＮＢ−ＩｏＴ：Ｎａｒｒｏｗ  Ｂａｎｄ  Ｉｎｔｅｒｎｅｔ  ｏｆ  Ｔｈｉｎｇｓ）技術は、セルラーのモノのインターネット技術の典型的な代表である。ＭＴＣ／ＮＢ−ＩｏＴは、高い通信能力をほとんど必要としないシナリオ（例えば、データ収集）に広く適用されるので、ＭＴＣ／ＮＢ−ＩｏＴのためのユーザ機器は、高い通信能力を必要としない。したがって、コストのために、普通の携帯電話と比較して、ＭＴＣ／ＮＢ−ＩｏＴのためのユーザ機器は、処理能力の大きな低下を許容する。
【０００３】
ＭＴＣ／ＮＢ−ＩｏＴの応用シナリオでは、ユーザ機器から伝送またはユーザ機器によって受信するために、データ・パケットを、複数の伝送ブロック（ＴＢ）に分割する。各伝送ブロックは、ユーザ機器によってそれぞれのブラインド検出が実施される個々のシグナリングでスケジュールされるが、これにより、電力消費量が多くなる。
【０００４】
上記の問題を克服するために、従来技術では、ユーザによって実施されるブラインド検出の数を減らすことができるように、複数の伝送ブロックを１個のシグナリングで連続的にスケジュールする。それでも、ユーザ機器の不十分な処理能力によって、他の問題がもたらされることもある。
【発明の概要】
【発明が解決しようとする課題】
【０００５】
上記を考慮して、本開示の実施形態は、伝送ブロックを処理するための方法および装置、電子デバイス、ならびにコンピュータ可読ストレージ媒体を提供する。
【課題を解決するための手段】
【０００６】
本開示の実施形態の第１の態様によれば、伝送ブロックを処理する方法は、ユーザ機器に適用され、
スケジューリング・シグナリングを基地局から受信することであって、スケジューリング・シグナリングが、複数の伝送ブロックをスケジュールするように構成される、受信することと、
複数の伝送ブロックを基地局に伝送すること、および／または、複数の伝送ブロックを基地局から受信することであって、複数の伝送ブロックのうちの２つの隣接した伝送ブロックが、既定の時間間隔で間隔を空けられる、伝送すること、および／または、受信することと、
を含む。
【０００７】
いくつかの実施形態では、方法は、
複数の伝送ブロックを基地局に伝送すること、または、複数の伝送ブロックを基地局から受信することの前に、基地局との通信プロトコルに基づいて、既定の時間間隔を決定すること
をさらに含む。
【０００８】
いくつかの実施形態では、方法は、
複数の伝送ブロックを基地局に伝送すること、または、複数の伝送ブロックを基地局から受信することの前に、ユーザ機器のデータ処理能力情報に基づいて、既定の時間間隔を決定することと、
既定の時間間隔を基地局に送信することと
をさらに含む。
【０００９】
いくつかの実施形態では、既定の時間間隔を基地局に送信することは、
既定の時間間隔と指示情報との間の予め記憶された第１の関連関係に基づいて、既定の時間間隔に対応する指示情報を決定することと、
指示情報を基地局に送信することと
を含み、
第１の関連関係は、基地局に予め記憶される。
【００１０】
いくつかの実施形態では、方法は、
複数の伝送ブロックを基地局に伝送すること、または、複数の伝送ブロックを基地局から受信することの前に、既定の時間間隔を基地局から受信すること
をさらに含む。
【００１１】
いくつかの実施形態では、既定の時間間隔を基地局から受信することは、
伝送ブロックのデータ・サイズを基地局から受信することと、
データ・サイズと既定の時間間隔との間の予め記憶された第２の関連関係に基づいて、データ・サイズに対応する既定の時間間隔を決定することと
を含み、
第２の関連関係は、基地局に予め記憶される。
【００１２】
いくつかの実施形態では、既定の時間間隔を基地局から受信することは、
無線リソース制御シグナリングおよび／または物理ダウンリンク制御チャネル・メッセージを受信することによって、既定の時間間隔を決定すること
を含む。
【００１３】
いくつかの実施形態では、既定の時間間隔を基地局から受信することは、
無線リソース制御シグナリングを受信することによって、複数の時間間隔を決定することと、
物理ダウンリンク制御チャネル・メッセージを受信することによって、複数の時間間隔から既定の時間間隔を決定することと
を含む。
【００１４】
いくつかの実施形態では、既定の時間間隔を基地局から受信することは、
ユーザ機器のデータ処理能力情報に基づいて、複数の時間間隔を決定することと、
無線リソース制御シグナリングまたは物理ダウンリンク制御チャネル・メッセージを受信することによって、複数の時間間隔から既定の時間間隔を決定することと
を含む。
【００１５】
いくつかの実施形態では、既定の時間間隔を基地局から受信することは、
伝送ブロックのデータ・サイズを基地局から受信することと、
データ・サイズに基づいて複数の時間間隔を決定することと、
無線リソース制御シグナリングまたは物理ダウンリンク制御チャネル・メッセージを受信することによって、複数の時間間隔から既定の時間間隔を決定することと
を含む。
【００１６】
本開示の実施形態の第２の態様によれば、伝送ブロックを処理する方法は、基地局に適用され、
スケジューリング・シグナリングをユーザ機器に送信することであって、スケジューリング・シグナリングが、複数の伝送ブロックをスケジュールするように構成される、送信することと、
複数の伝送ブロックをユーザ機器に伝送すること、および／または、複数の伝送ブロックをユーザ機器から受信することであって、複数の伝送ブロックのうちの２つの隣接した伝送ブロックが、既定の時間間隔で間隔を空けられる、伝送すること、および／または、受信することと
を含む。
【００１７】
いくつかの実施形態では、方法は、
複数の伝送ブロックをユーザ機器に伝送すること、または、複数の伝送ブロックをユーザ機器から受信することの前に、ユーザ機器との通信プロトコルに基づいて、既定の時間間隔を決定すること
をさらに含む。
【００１８】
いくつかの実施形態では、方法は、
複数の伝送ブロックをユーザ機器に伝送すること、または、複数の伝送ブロックをユーザ機器から受信することの前に、既定の時間間隔をユーザ機器から受信すること
をさらに含む。
【００１９】
いくつかの実施形態では、既定の時間間隔をユーザ機器から受信することは、
既定の時間間隔に対応する指示情報をユーザ機器から受信することと、
既定の時間間隔と指示情報との間の予め記憶された第１の関連関係に基づいて、指示情報に対応する既定の時間間隔を決定することと
を含む。
【００２０】
いくつかの実施形態では、方法は、
複数の伝送ブロックをユーザ機器に伝送すること、または、複数の伝送ブロックをユーザ機器から受信することの前に、既定の時間間隔をユーザ機器に送信すること
をさらに含む。
【００２１】
いくつかの実施形態では、既定の時間間隔をユーザ機器に送信することは、
伝送ブロックのデータ・サイズを決定することと、
データ・サイズをユーザ機器に送信することと、
データ・サイズと既定の時間間隔との間の予め記憶された第２の関連関係に基づいて、データ・サイズに対応する既定の時間間隔を決定することと
を含み、
第２の関連関係は、ユーザ機器に予め記憶される。
【００２２】
いくつかの実施形態では、既定の時間間隔をユーザ機器に送信することは、
無線リソース制御シグナリングで、複数の時間間隔をユーザ機器に送信することと、
物理ダウンリンク制御チャネル・メッセージで、複数の時間間隔の中から既定の時間間隔をユーザ機器に指示することと
を含む。
【００２３】
いくつかの実施形態では、既定の時間間隔をユーザ機器に送信することは、
データ処理能力情報をユーザ機器から受信することと、
データ処理能力情報に基づいて、複数の時間間隔を決定することと、
複数の時間間隔から既定の時間間隔を決定することと、
無線リソース制御シグナリングまたは物理ダウンリンク制御チャネル・メッセージで、既定の時間間隔をユーザ機器に送信することと
を含む。
【００２４】
いくつかの実施形態では、既定の時間間隔をユーザ機器に送信することは、
伝送ブロックのデータ・サイズを決定することと、
伝送ブロックのデータ・サイズに基づいて複数の時間間隔を決定することと、
複数の時間間隔から既定の時間間隔を決定することと、
無線リソース制御シグナリングまたは物理ダウンリンク制御チャネル・メッセージで、既定の時間間隔をユーザ機器に送信することと
を含む。
【００２５】
本開示の実施形態の第３の態様によれば、伝送ブロックを処理するための装置は、ユーザ機器に適用され、
スケジューリング・シグナリングを基地局から受信するように構成されたシグナリング受信モジュールであって、スケジューリング・シグナリングが、複数の伝送ブロックをスケジュールするように構成される、シグナリング受信モジュールと、
複数の伝送ブロックを基地局に伝送すること、および／または、複数の伝送ブロックを基地局から受信することを行うように構成された通信モジュールであって、複数の伝送ブロックのうちの２つの隣接した伝送ブロックが、既定の時間間隔で間隔を空けられる、通信モジュールと
を含む。
【００２６】
いくつかの実施形態では、装置は、
複数の伝送ブロックを基地局に伝送すること、または、複数の伝送ブロックを基地局から受信することを通信モジュールが行う前に、基地局との通信プロトコルに基づいて、既定の時間間隔を決定するように構成された第１の決定モジュール
をさらに含む。
【００２７】
いくつかの実施形態では、装置は、
複数の伝送ブロックを基地局に伝送すること、または、複数の伝送ブロックを基地局から受信することを通信モジュールが行う前に、ユーザ機器のデータ処理能力情報に基づいて、既定の時間間隔を決定するように構成された第２の決定モジュールと、
既定の時間間隔を基地局に送信するように構成された間隔送信モジュールと
をさらに含む。
【００２８】
いくつかの実施形態では、間隔送信モジュールは、
既定の時間間隔と指示情報との間の予め記憶された第１の関連関係に基づいて、既定の時間間隔に対応する指示情報を決定するように構成された指示決定サブモジュールと、
指示情報を基地局に送信するように構成された指示送信サブモジュールと
を含み、
第１の関連関係は、基地局に予め記憶される。
【００２９】
いくつかの実施形態では、装置は、
複数の伝送ブロックが基地局に伝送されるか、基地局から受信されるかの前に、既定の時間間隔を基地局から受信するように構成された間隔受信モジュール
をさらに含む。
【００３０】
いくつかの実施形態では、間隔受信モジュールは、
伝送ブロックのデータ・サイズを基地局から受信するように構成されたデータ・サイズ受信サブモジュールと、
データ・サイズと既定の時間間隔との間の予め記憶された第２の関連関係に基づいて、データ・サイズに対応する既定の時間間隔を決定するように構成された対応関係決定サブモジュールと
を含み、
第２の関連関係は、基地局に予め記憶される。
【００３１】
いくつかの実施形態では、間隔受信モジュールは、
無線リソース制御シグナリングを受信することによって、複数の時間間隔を決定するように構成されたシグナリング受信サブモジュールと、
物理ダウンリンク制御チャネル・メッセージを受信することによって、複数の時間間隔から既定の時間間隔を決定するように構成されたメッセージ受信サブモジュールと
を含む。
【００３２】
いくつかの実施形態では、間隔受信モジュールは、
ユーザ機器のデータ処理能力情報に基づいて、複数の時間間隔を決定するように構成された第１の間隔決定サブモジュールと、
無線リソース制御シグナリングまたは物理ダウンリンク制御チャネル・メッセージを受信することによって、複数の時間間隔から既定の時間間隔を決定するように構成されたメッセージ受信サブモジュールと
を含む。
【００３３】
いくつかの実施形態では、間隔受信モジュールは、
伝送ブロックのデータ・サイズを基地局から受信するように構成されたデータ・サイズ受信サブモジュールと、
データ・サイズに基づいて複数の時間間隔を決定するように構成された第２の間隔決定サブモジュールと、
無線リソース制御シグナリングまたは物理ダウンリンク制御チャネル・メッセージを受信することによって、複数の時間間隔から既定の時間間隔を決定するように構成されたメッセージ受信サブモジュールと
を含む。
【００３４】
本開示の実施形態の第４の態様によれば、伝送ブロックを処理するための装置は、基地局に適用され、
スケジューリング・シグナリングをユーザ機器に送信するように構成されたシグナリング送信モジュールであって、スケジューリング・シグナリングが、複数の伝送ブロックをスケジュールするように構成される、シグナリング送信モジュールと、
複数の伝送ブロックをユーザ機器に伝送すること、および／または、複数の伝送ブロックをユーザ機器から受信することを行うように構成された通信モジュールであって、複数の伝送ブロックのうちの２つの隣接した伝送ブロックが、既定の時間間隔で間隔を空けられる、通信モジュールと
を含む。
【００３５】
いくつかの実施形態では、装置は、
複数の伝送ブロックをユーザ機器に伝送すること、または複数の伝送ブロックをユーザ機器から受信することを通信モジュールが行う前に、ユーザ機器との通信プロトコルに基づいて、既定の時間間隔を決定するように構成された間隔決定モジュール
をさらに含む。
【００３６】
いくつかの実施形態では、装置は、
複数の伝送ブロックをユーザ機器に伝送すること、または複数の伝送ブロックをユーザ機器から受信することを通信モジュールが行う前に、既定の時間間隔をユーザ機器から受信するように構成された間隔受信モジュール
をさらに含む。
【００３７】
いくつかの実施形態では、間隔受信モジュールは、
既定の時間間隔に対応する指示情報をユーザ機器から受信するように構成された指示受信サブモジュールと、
既定の時間間隔と指示情報との間の予め記憶された第１の関連関係に基づいて、指示情報に対応する既定の時間間隔を決定するように構成された第１の対応関係決定サブモジュールと
を含む。
【００３８】
いくつかの実施形態では、装置は、
複数の伝送ブロックをユーザ機器に伝送すること、または複数の伝送ブロックをユーザ機器から受信することを通信モジュールが行う前に、既定の時間間隔をユーザ機器に送信するように構成された間隔送信モジュール
をさらに含む。
【００３９】
いくつかの実施形態では、間隔送信モジュールは、
伝送ブロックのデータ・サイズを決定するように構成されたデータ・サイズ決定サブモジュールと、
データ・サイズをユーザ機器に送信するように構成されたデータ・サイズ送信サブモジュールと、
データ・サイズと既定の時間間隔との間の予め記憶された第２の関連関係に基づいて、データ・サイズに対応する既定の時間間隔を決定するように構成された第２の対応関係決定サブモジュールと
を含み、
第２の関連関係は、ユーザ機器に予め記憶される。
【００４０】
いくつかの実施形態では、間隔送信モジュールは、
無線リソース制御シグナリングで、複数の時間間隔をユーザ機器に送信するように構成されたシグナリング送信サブモジュールと、
物理ダウンリンク制御チャネル・メッセージで、複数の時間間隔の中から既定の時間間隔をユーザ機器に指示するように構成されたメッセージ送信サブモジュールと
を含む。
【００４１】
いくつかの実施形態では、間隔送信モジュールは、
データ処理能力情報をユーザ機器から受信するように構成された情報受信サブモジュールと、
データ処理能力情報に基づいて、複数の時間間隔を決定するように構成された第１の間隔決定サブモジュールと、
複数の時間間隔から既定の時間間隔を決定するように構成された第２の間隔決定サブモジュールと、
無線リソース制御シグナリングまたは物理ダウンリンク制御チャネル・メッセージで、既定の時間間隔をユーザ機器に送信するように構成された間隔送信サブモジュールと
を含む。
【００４２】
いくつかの実施形態では、間隔送信モジュールは、
伝送ブロックのデータ・サイズを決定するように構成されたデータ・サイズ決定サブモジュールと、
伝送ブロックのデータ・サイズに基づいて複数の時間間隔を決定するように構成された第３の間隔決定サブモジュールと、
複数の時間間隔から既定の時間間隔を決定するように構成された第４の間隔決定サブモジュールと、
無線リソース制御シグナリングまたは物理ダウンリンク制御チャネル・メッセージで、既定の時間間隔をユーザ機器に送信するように構成された間隔送信サブモジュールと
を含む。
【００４３】
本開示の実施形態の第５の態様によれば、電子デバイスは、
プロセッサと、
プロセッサによって実行可能な命令を記憶するためのメモリと
を含み、
プロセッサは、前述の実施形態のいずれか１つによる伝送ブロックを処理する方法を実施するように構成される。
【００４４】
本開示の実施形態の第６の態様によれば、コンピュータ・プログラムを格納したコンピュータ可読ストレージ媒体が提供され、プロセッサによってプログラムが実行されると、前述の実施形態のいずれか１つによる伝送ブロックを処理する方法のステップが実行される。
【００４５】
本開示の実施形態によれば、複数の伝送ブロックのうちの２つの隣接した伝送ブロックは、既定の時間間隔で間隔を空けられる。したがって、従来技術における伝送ブロックが連続的にスケジュールされるケースに比べて、ユーザ機器は、伝送ブロックが正しく伝送され、受信されることを保証するために、伝送ブロックのそれぞれに対応するリソースを処理するのに、より多くの時間を掛けることができる。
【００４６】
本開示の実施形態によって提供される技術的解決策を、より明確に説明するために、実施形態の説明に関連した図面を簡単に紹介する。以下の説明における図面は、本開示のいくつかの例を示すにすぎず、これらの図面に基づき、当業者は、創造的作業なしに他の図面を取得できることが明らかである。
【図面の簡単な説明】
【００４７】
【図１】本開示の例による、伝送ブロックを処理する方法を示す概略フローチャートである。
【図２Ａ】従来技術における、伝送ブロックの受信を示す概略図である。
【図２Ｂ】本開示の例による、伝送ブロックの受信を示す概略図である。
【図３】本開示の例による、伝送ブロックを処理する別の方法を示す概略フローチャートである。
【図４】本開示の例による、伝送ブロックを処理する別の方法を示す概略フローチャートである。
【図５】本開示の例による、伝送ブロックを処理する別の方法を示す概略フローチャートである。
【図６】本開示の例による、伝送ブロックを処理する別の方法を示す概略フローチャートである。
【図７】本開示の例による、伝送ブロックを処理する別の方法を示す概略フローチャートである。
【図８】本開示の例による、伝送ブロックを処理する別の方法を示す概略フローチャートである。
【図９】本開示の例による、伝送ブロックを処理する別の方法を示す概略フローチャートである。
【図１０】本開示の例による、伝送ブロックを処理する別の方法を示す概略フローチャートである。
【図１１】本開示の例による、伝送ブロックを処理する方法を示す概略フローチャートである。
【図１２】本開示の例による、伝送ブロックを処理する別の方法を示す概略フローチャートである。
【図１３】本開示の例による、伝送ブロックを処理する別の方法を示す概略フローチャートである。
【図１４】本開示の例による、伝送ブロックを処理する別の方法を示す概略フローチャートである。
【図１５】本開示の例による、伝送ブロックを処理する別の方法を示す概略フローチャートである。
【図１６】本開示の例による、伝送ブロックを処理する別の方法を示す概略フローチャートである。
【図１７】本開示の例による、伝送ブロックを処理する別の方法を示す概略フローチャートである。
【図１８】本開示の例による、伝送ブロックを処理する別の方法を示す概略フローチャートである。
【図１９】本開示の例による、伝送ブロックを処理する別の方法を示す概略フローチャートである。
【図２０】本開示の例による、伝送ブロックを処理するための装置を示す概略ブロック図である。
【図２１】本開示の例による、伝送ブロックを処理するための別の装置を示す概略ブロック図である。
【図２２】本開示の例による、伝送ブロックを処理するための別の装置を示す概略ブロック図である。
【図２３】本開示の例による、間隔送信モジュールを示す概略ブロック図である。
【図２４】本開示の例による、伝送ブロックを処理するための別の装置を示す概略ブロック図である。
【図２５】本開示の例による、間隔受信モジュールを示す概略ブロック図である。
【図２６】本開示の例による、別の間隔受信モジュールを示す概略ブロック図である。
【図２７】本開示の例による、別の間隔受信モジュールを示す概略ブロック図である。
【図２８】本開示の例による、別の間隔受信モジュールを示す概略ブロック図である。
【図２９】本開示の例による、伝送ブロックを処理するための装置を示す概略ブロック図である。
【図３０】本開示の例による、伝送ブロックを処理するための別の装置を示す概略ブロック図である。
【図３１】本開示の例による、伝送ブロックを処理するための別の装置を示す概略ブロック図である。
【図３２】本開示の例による、間隔送信モジュールを示す概略ブロック図である。
【図３３】本開示の例による、伝送ブロックを処理するための別の装置を示す概略ブロック図である。
【図３４】本開示の例による、別の間隔送信モジュールを示す概略ブロック図である。
【図３５】本開示の例による、別の間隔送信モジュールを示す概略ブロック図である。
【図３６】本開示の例による、別の間隔送信モジュールを示す概略ブロック図である。
【図３７】本開示の例による、別の間隔送信モジュールを示す概略ブロック図である。
【図３８】本開示の例による、伝送ブロックを処理するためのデバイスを示す概略構造図である。
【図３９】本開示の例による、伝送ブロックを処理するためのデバイスを示す概略構造図である。
【発明を実施するための形態】
【００４８】
以下は、本開示の例の図面と共に、本開示の実施形態で提供される技術的解決策を明確かつ完全に説明する。説明される実施形態は、部分的な実施形態であり、本開示の全ての実装形態ではないことが明らかである。本開示で提供される実施形態に基づいて、他の実施形態の全てを、創造的作業なく当業者によって取得することができ、本出願の保護範囲の範囲に含むものとする。
【００４９】
図１は、本開示の例による、伝送ブロックを処理する方法を示す概略フローチャートである。例で示した方法は、ユーザ機器に適用することができる。ユーザ機器は、ＭＴＣおよび／またはＮＢ−ＩｏＴ技術に基づいてその通信を実装することができ、一般的な携帯電話よりもデータ処理能力が低い。
【００５０】
図１に示したように、例による伝送ブロックを処理する方法は、以下のステップを含むことができる。
【００５１】
ステップＳ１において、スケジューリング・シグナリングを基地局から受信し、ここで、スケジューリング・シグナリングは、複数の伝送ブロックをスケジュールするように構成される。いくつかの実施形態では、伝送ブロックのそれぞれについて、そのデータ・サイズは、別の伝送ブロックのデータ・サイズと同一であるか、または異なっていてもよく、本開示によって限定されない。
【００５２】
ステップＳ２において、複数の伝送ブロックを基地局に伝送すること、および／または、複数の伝送ブロックを基地局から受信することを行い、ここで、複数の伝送ブロックのうちの２つの隣接した伝送ブロックは、既定の時間間隔で間隔を空けられる。
【００５３】
ユーザ機器が複数の伝送ブロックを基地局に伝送するか、複数の伝送ブロックを基地局から受信するかに関わらず、ユーザ機器は、伝送ブロックが運ばれるリソースを処理する。図２Ａは、従来技術における、伝送ブロックの受信を示す概略図である。図２Ａに示したように、例えば、物理ダウンリンク共有チャネル（ＰＤＳＣＨ：ｐｈｙｓｉｃａｌ  ｄｏｗｎｌｉｎｋ  ｓｈａｒｅｄ  ｃｈａｎｎｅｌ）リソースにそれぞれ対応する４つの伝送ブロック、すなわち、ＰＤＳＣＨ１、ＰＤＳＣＨ２、ＰＤＳＣＨ３、およびＰＤＳＣＨ４を基地局から受信する。４つの伝送ブロックは、物理ダウンリンク制御チャネル（ＰＤＣＣＨ）シグナリングで連続的にスケジュールされ、したがって、４つの伝送ブロックにそれぞれ対応するリソースは、４つの伝送ブロックが連続的にスケジュールされるので、時間的に間隔を空けられることはない。一方で、ＰＤＳＣＨリソースの復調などの動作をユーザ機器が実施しない限り、ＰＤＳＣＨリソースに対応する伝送ブロックを取得することができない。
【００５４】
ユーザ機器のデータ処理能力が低い場合、すなわち、データ処理速度が遅い場合、ユーザ機器は、ＰＤＳＣＨ１に対応する時間ｔ１の中で第１の伝送ブロックを取得するために、ＰＤＳＣＨ１の復調を完了させることができない。ユーザ機器がＰＤＳＣＨ２を受信した後にＰＤＳＣＨ３を受信することを考えると、ユーザ機器がＰＤＳＣＨ３を受信するまで、ＰＤＳＣＨ１から第１の伝送ブロックを復調していなかった場合、ユーザ機器は、ＰＤＳＣＨ２を無視し、最も新しく受信したＰＤＳＣＨ３を復調することしかできず、これにより、基地局から伝送された伝送ブロックよりも、復調した伝送ブロックが少なくなり得る。
【００５５】
本開示のいくつかの例によれば、伝送ブロックのうちの２つの隣接した伝送ブロックは、既定の時間間隔で間隔を空けられる。したがって、従来技術における伝送ブロックが連続的にスケジュールされるケースに比べて、ユーザ機器は、伝送ブロックが正しく伝送され、受信されることを保証するために、伝送ブロックのそれぞれに対応するリソースを処理するのに、より多くの時間を掛けることができる。
【００５６】
図２Ｂは、本開示の例による、伝送ブロックの受信を示す概略図である。図２Ｂに示したように、例えば、４つの伝送ブロックを基地局から受信することを、まだ例として用いる。複数の伝送ブロックの中の２つの隣接した伝送ブロックが、既定の時間間隔ｔ０で間隔を空けられるので、ＰＤＳＣＨ１の受信とＰＤＳＣＨ２の受信との間の時間ｔ１＋ｔ０が、第１の伝送ブロックをＰＤＳＣＨ１から復調するためにユーザ機器に与えられる。したがって、ＰＤＳＣＨ２を受信したとき、別のＰＤＳＣＨリソースの復調をユーザ機器が完了し、したがって、ＰＤＳＣＨ２を復調できることを、かなりの程度まで保証することができる。したがって、伝送ブロックが正しく受信されることを保証するために、４つの伝送ブロックがユーザ機器によって復調されることを保証することができる。
【００５７】
図３は、本開示の例による、伝送ブロックを処理する別の方法を示す概略フローチャートである。図３に示したように、図１に示した例に基づいて、方法は、
ステップＳ３において、複数の伝送ブロックを基地局に伝送するか、基地局から受信するかの前に、基地局との通信プロトコルに基づいて、既定の時間間隔を決定すること
をさらに含む。
【００５８】
１つの実施形態では、既定の時間間隔は、基地局と通信するときの通信プロトコルに基づいて、既定の時間間隔をユーザ機器が直接的に決定できるように、基地局とユーザ機器との間の通信プロトコルで予め構成することができる。いくつかの実施形態では、ユーザ機器は、複数の伝送ブロックを基地局に伝送する前に、既定の時間間隔を決定することができるか、または、ユーザ機器は、複数の伝送ブロックを基地局から受信する前に、既定の時間間隔を決定することができる。
【００５９】
図４は、本開示の例による、伝送ブロックを処理する別の方法を示す概略フローチャートである。図４に示したように、図１に示した例に基づいて、方法は、
ステップＳ４において、複数の伝送ブロックを基地局に伝送するか、複数の伝送ブロックを基地局から受信するかの前に、ユーザ機器のデータ処理能力情報に基づいて、既定の時間間隔を決定すること、および
ステップＳ５において、既定の時間間隔を基地局に送信すること
をさらに含む。
【００６０】
１つの実施形態では、ユーザ機器は、ユーザ機器自体のデータ処理能力情報に基づいて、既定の時間間隔を決定することができる。例えば、データ処理能力が弱くなればなるほど、決定した既定の時間間隔が長くなり得る一方で、データ処理能力が強くなればなるほど、決定した既定の時間間隔は短くなり得る。次に、決定した既定の時間間隔を基地局に送信することができ、したがって、基地局も、既定の時間間隔に基づいて、伝送ブロックを伝送し、受信することができ、これにより、ユーザ機器と正しく通信する。いくつかの実施形態では、ユーザ機器は、複数の伝送ブロックを基地局に伝送する前に、既定の時間間隔を基地局に送信することができるか、または、ユーザ機器は、複数の伝送ブロックを基地局から受信する前に、既定の時間間隔を基地局に送信することができる。
【００６１】
ユーザ機器は、トリガ・メッセージを基地局から受信した後、既定の時間間隔の基地局への送信を実施することができるか、または、例えば、基地局との通信接続が確立されたとき、要求に応じて、既定の時間間隔の基地局への送信を能動的に実施できることに留意されたい。
【００６２】
図５は、本開示の例による、伝送ブロックを処理する別の方法を示す概略フローチャートである。図５に示したように、図４に示した例に基づいて、既定の時間間隔を基地局に送信することは、
ステップＳ５０１において、既定の時間間隔と指示情報との間の予め記憶された第１の関連関係に基づいて、既定の時間間隔に対応する指示情報を決定すること、および
ステップＳ５０２において、指示情報を基地局に送信すること
を含み、
ここで、第１の関連関係は、基地局に予め記憶される。
【００６３】
１つの実施形態では、ユーザ機器は、まず、既定の時間間隔に対応する指示情報を決定し、次に、指示情報を基地局に送信することができる。基地局は第１の関連関係を予め記憶しているので、指示情報を受信した後、基地局は、指示情報に対応する既定の時間間隔を決定することができる。したがって、基地局も、既定の時間間隔に基づいて、伝送ブロックを伝送し、受信することができ、これにより、ユーザ機器と正しく通信する。
【００６４】
例えば、第１の関連関係を、テーブル１に示すことができる。
【表１】
2021532676.tif 000003
【００６５】
ユーザ機器によって送信された指標が２の場合、基地局は、２ミリ秒という既定の時間間隔で、ユーザ機器が伝送ブロックを受信し、伝送するべきであることを、第１の関連関係に基づいて決定することができる。
【００６６】
図６は、本開示の例による、伝送ブロックを処理する別の方法を示す概略フローチャートである。図６に示したように、図１に示した例に基づいて、方法は、
ステップＳ６において、複数の伝送ブロックを基地局に伝送するか、基地局から受信するかの前に、既定の時間間隔を基地局から受信すること
をさらに含む。
【００６７】
１つの実施形態では、既定の時間間隔も、基地局によって構成し、ユーザ機器に送信することができ、したがって、ユーザ機器は、既定の時間間隔に基づいて、伝送ブロックを伝送し、受信することができる。いくつかの実施形態では、ユーザ機器は、複数の伝送ブロックを基地局に伝送する前に、既定の時間間隔を基地局から受信することができるか、または、ユーザ機器は、複数の伝送ブロックを基地局から受信する前に、既定の時間間隔を基地局から受信することができる。
【００６８】
図７は、本開示の例による、伝送ブロックを処理する別の方法を示す概略フローチャートである。図７に示したように、図６に示した例に基づいて、既定の時間間隔を基地局から受信することは、
ステップＳ６０１において、伝送ブロックのデータ・サイズを基地局から受信すること、および
ステップＳ６０２において、データ・サイズと既定の時間間隔との間の予め記憶された第２の関連関係に基づいて、データ・サイズに対応する既定の時間間隔を決定すること
を含み、
ここで、第２の関連関係は、基地局に予め記憶される。
【００６９】
１つの実施形態では、基地局は、送信予定の伝送ブロックのデータ・サイズを決定することができる。具体的には、基地局は、予め記憶された構成情報に基づいて、またはユーザ機器のデータ処理能力情報に基づいて、伝送ブロックのデータ・サイズを決定することができる。さらに、決定したデータ・サイズに基づいて、伝送予定のデータを複数の伝送ブロックに分割することができる。
【００７０】
伝送ブロックのデータ・サイズを受信した後、ユーザ機器は、データ・サイズに対応する既定の時間間隔を決定することができ、次に、既定の時間間隔に基づいて、伝送ブロックを伝送し、受信することができる。その上、基地局は第２の関連関係を予め記憶しているので、第２の関連関係に基づいて、基地局は、基地局によってユーザ機器に送信された伝送ブロックのデータ・サイズに対応する既定の時間間隔を決定することができ、したがって、基地局も、既定の時間間隔で伝送ブロックを伝送し、受信することができ、これにより、基地局とユーザ機器との間の通信が正しく機能し得ることを保証する。いくつかの実施形態では、第２の関連関係に基づいて、伝送ブロックのデータ・サイズが大きくなればなるほど、決定した既定の時間間隔が長くなり得る一方で、伝送ブロックのデータ・サイズが小さくなればなるほど、決定した既定の時間間隔は短くなり得る。
【００７１】
例えば、第２の関連関係を、テーブル２に示すことができる。
【表２】
2021532676.tif 000004
【００７２】
送信予定の伝送ブロックのデータ・サイズがＸビットとＹビットの間である場合、第２の関連関係に基づいて、ユーザ機器は、２ミリ秒という既定の時間間隔で伝送ブロックを受信し、伝送することを決定することができる。いくつかの実施形態では、Ｘ、Ｙ、およびＺのそれぞれの値は、要求に応じて構成することができる。
【００７３】
図８は、本開示の例による、伝送ブロックを処理する別の方法を示す概略フローチャートである。図８に示したように、図６に示した例に基づいて、既定の時間間隔を基地局から受信することは、
ステップＳ６０４において、無線リソース制御シグナリングを受信することによって、複数の時間間隔を決定すること、および
ステップＳ６０５において、物理ダウンリンク制御チャネル・メッセージを受信することによって、複数の時間間隔から既定の時間間隔を決定すること
を含む。
【００７４】
１つの実施形態では、基地局は、無線リソース制御シグナリングで、複数の時間間隔をユーザ機器に最初に指示し、物理ダウンリンク制御チャネル・メッセージで、指示した複数の時間間隔の中から既定の時間間隔をさらに指示することができる。したがって、物理ダウンリンク制御メッセージのオーバヘッドを減らすことができる。
【００７５】
いくつかの実施形態では、ユーザ機器によってサポートされる時間間隔は、時間間隔のセットを構成しており、無線リソース制御シグナリングに複数の第１のキャラクタを収めることができ、第１のキャラクタと時間間隔との間に対応関係があり、したがって、ユーザ機器は、第１のキャラクタと時間間隔との間の対応関係に従って、複数の第１のキャラクタに基づいて、時間間隔のセットの中の複数の時間間隔を決定することができる。同様に、物理ダウンリンク制御チャネル・メッセージに第２のキャラクタを含めることができ、第２のキャラクタと時間間隔との間に対応関係があり、したがって、ユーザ機器は、第２のキャラクタと時間間隔との間の対応関係に従って、第２のキャラクタに基づいて、複数の時間間隔から既定の時間間隔を決定することができる。
【００７６】
例えば、ユーザ機器は、全体で１６個の時間間隔をサポートすることができる。物理ダウンリンク制御チャネル・メッセージで、１６個の時間間隔の中から既定の時間間隔を指示するだけの場合、４ビットを占め、一方、無線リソース制御シグナリングで、１６個の時間間隔の中から４つの時間間隔を最初に指示し、次に、物理ダウンリンク制御チャネル・メッセージで、４つの時間間隔の中から既定の時間間隔を指示する場合、２ビットだけを占める。
【００７７】
図９は、本開示の例による、伝送ブロックを処理する別の方法を示す概略フローチャートである。図９に示したように、図６に示した例に基づいて、既定の時間間隔を基地局から受信することは、
ステップＳ６０６において、ユーザ機器のデータ処理能力情報に基づいて、複数の時間間隔を決定すること、および
ステップＳ６０７において、無線リソース制御シグナリングまたは物理ダウンリンク制御チャネル・メッセージを受信することによって、複数の時間間隔から既定の時間間隔を決定すること
を含む。
【００７８】
１つの実施形態では、ユーザ機器は、ユーザ機器自体のデータ処理能力情報に基づいて、複数の時間間隔を決定することができる。例えば、ユーザ機器は、１６個の時間間隔をサポートすることができ、したがって、ユーザ機器自体のデータ処理能力に一致するように、１６個の時間間隔から４つの時間間隔を決定する。
【００７９】
さらに、ユーザ機器は、ユーザ機器自体のデータ処理能力情報も基地局に送信することができ、基地局は、データ処理能力情報と時間間隔との間の対応関係に基づいて、および、受信したデータ処理能力情報に基づいて、複数の時間間隔を決定することができる。
【００８０】
次に、基地局は、無線リソース制御シグナリングまたは物理ダウンリンク制御チャネル・メッセージで、決定した複数の時間間隔の中から既定の時間間隔をさらに指示することができ、したがって、物理ダウンリンク制御メッセージのオーバヘッドを減らすことができる。
【００８１】
いくつかの実施形態では、無線リソース制御シグナリングに第１のキャラクタを含めることができ、第１のキャラクタと時間間隔との間に対応関係があり、したがって、ユーザ機器は、第１のキャラクタと時間間隔との間の対応関係に従って、第１のキャラクタに基づいて、複数の時間間隔から既定の時間間隔を決定することができる。物理ダウンリンク制御チャネル・メッセージに第２のキャラクタを含めることができ、第２のキャラクタと時間間隔との間に対応関係があり、したがって、ユーザ機器は、第２のキャラクタと時間間隔との間の対応関係に従って、第２のキャラクタに基づいて、複数の時間間隔から既定の時間間隔を決定することができる。
【００８２】
例えば、ユーザ機器は、全体で１６個の時間間隔をサポートすることができる。物理ダウンリンク制御チャネル・メッセージで、１６個の時間間隔の中から既定の時間間隔を指示するだけの場合、４ビットを占め、一方、データ処理能力情報に基づいて、１６個の時間間隔の中から４つの時間間隔を最初に指示し、次に、物理ダウンリンク制御チャネル・メッセージで、４つの時間間隔の中から既定の時間間隔を指示する場合、２ビットだけを占める。
【００８３】
図１０は、本開示の例による、伝送ブロックを処理する別の方法を示す概略フローチャートである。図１０に示したように、図６に示した例に基づいて、既定の時間間隔を基地局から受信することは、
ステップＳ６０８において、伝送ブロックのデータ・サイズを基地局から受信すること、
ステップＳ６０９において、データ・サイズに基づいて複数の時間間隔を決定すること、および
ステップＳ６１０において、物理ダウンリンク制御チャネル・メッセージを受信することによって、複数の時間間隔から既定の時間間隔を決定すること
を含む。
【００８４】
１つの実施形態では、基地局は、送信予定の伝送ブロックのデータ・サイズを決定することができる。例えば、基地局は、予め記憶された構成情報に基づいて、または、ユーザ機器のデータ処理能力情報に基づいて、伝送ブロックのデータ・サイズを決定することができる。さらに、決定したデータ・サイズに基づいて、伝送予定のデータを複数の伝送ブロックに分割することができる。
【００８５】
ユーザ機器は、基地局によって送信された伝送ブロックのデータ・サイズに基づいて複数の時間間隔を決定することができる。例えば、ユーザ機器は、１６個の時間間隔をサポートすることができ、したがって、基地局によって送信された伝送ブロックのデータ・サイズに一致するように、１６個の時間間隔から４つの時間間隔を決定する。
【００８６】
さらに、基地局は、伝送ブロックのデータ・サイズと時間間隔との間の対応関係に従って、伝送ブロックの決定したデータ・サイズに基づいて、複数の時間間隔をさらに決定することができる。
【００８７】
次に、基地局は、無線リソース制御シグナリングまたは物理ダウンリンク制御チャネル・メッセージで、決定した複数の時間間隔の中から既定の時間間隔をさらに指示することができ、したがって、物理ダウンリンク制御メッセージのオーバヘッドを減らすことができる。
【００８８】
いくつかの実施形態では、無線リソース制御シグナリングに第１のキャラクタを含めることができ、第１のキャラクタと時間間隔との間に対応関係があり、したがって、ユーザ機器は、第１のキャラクタと時間間隔との間の対応関係に従って、第１のキャラクタに基づいて、複数の時間間隔から既定の時間間隔を決定することができる。物理ダウンリンク制御チャネル・メッセージに第２のキャラクタを含めることができ、第２のキャラクタと時間間隔との間に対応関係があり、したがって、ユーザ機器は、第２のキャラクタと時間間隔との間の対応関係に従って、第２のキャラクタに基づいて、複数の時間間隔から既定の時間間隔を決定することができる。
【００８９】
例えば、ユーザ機器は、全体で１６個の時間間隔をサポートすることができる。物理ダウンリンク制御チャネル・メッセージで、１６個の時間間隔の中から既定の時間間隔を指示するだけの場合、４ビットを占め、一方、伝送ブロックのデータ・サイズに基づいて、１６個の時間間隔の中から４つの時間間隔を最初に指示し、次に、物理ダウンリンク制御チャネル・メッセージで、４つの時間間隔の中から既定の時間間隔を指示する場合、２ビットだけを占める。
【００９０】
図１１は、本開示の例による、伝送ブロックを処理する方法を示す概略フローチャートである。例で示した伝送ブロックを処理するための装置は、基地局に適用することができる。基地局は、４Ｇベースの基地局または５Ｇ基地局であってもよい。基地局は、図１〜図１０に示した例のユーザ機器と通信することができる。
【００９１】
図１１に示したように、伝送ブロックを処理する方法は、
ステップＳ１’において、スケジューリング・シグナリングをユーザ機器に送信することであって、スケジューリング・シグナリングが、複数の伝送ブロックをスケジュールするように構成される、送信すること、ならびに
ステップＳ２’において、複数の伝送ブロックをユーザ機器に伝送すること、および／または、複数の伝送ブロックをユーザ機器から受信することであって、複数の伝送ブロックのうちの２つの隣接した伝送ブロックが、既定の時間間隔で間隔を空けられる、伝送すること、および／または、受信すること
を含む。
【００９２】
図１２は、本開示の例による、伝送ブロックを処理する別の方法を示す概略フローチャートである。図１２に示したように、図１１に示した例に基づいて、方法は、
ステップＳ３’において、複数の伝送ブロックをユーザ機器に伝送するか、ユーザ機器から受信するかの前に、ユーザ機器との通信プロトコルに基づいて、既定の時間間隔を決定すること
をさらに含む。
【００９３】
図１３は、本開示の例による、伝送ブロックを処理する別の方法を示す概略フローチャートである。図１３に示したように、図１１に示した例に基づいて、方法は、
ステップＳ４’において、複数の伝送ブロックをユーザ機器に伝送するか、ユーザ機器から受信するかの前に、既定の時間間隔をユーザ機器から受信すること
をさらに含む。
【００９４】
図１４は、本開示の例による、伝送ブロックを処理する別の方法を示す概略フローチャートである。図１４に示したように、図１３に示した例に基づいて、既定の時間間隔をユーザ機器から受信することは、
ステップＳ４０１’において、既定の時間間隔に対応する指示情報をユーザ機器から受信すること、および
ステップＳ４０２’において、既定の時間間隔と指示情報との間の予め記憶された第１の関連関係に基づいて、指示情報に対応する既定の時間間隔を決定すること
を含む。
【００９５】
図１５は、本開示の例による、伝送ブロックを処理する別の方法を示す概略フローチャートである。図１５に示したように、図１１に示した例に基づいて、方法は、
ステップＳ５’において、複数の伝送ブロックをユーザ機器に伝送するか、ユーザ機器から受信するかの前に、既定の時間間隔をユーザ機器に送信すること
をさらに含む。
【００９６】
図１６は、本開示の例による、伝送ブロックを処理する別の方法を示す概略フローチャートである。図１６に示したように、図１５に示した例に基づいて、既定の時間間隔をユーザ機器に送信することは、
ステップＳ５０１’において、伝送ブロックのデータ・サイズを決定すること、
ステップＳ５０２’において、データ・サイズをユーザ機器に送信すること、および
ステップＳ５０３’において、データ・サイズと既定の時間間隔との間の予め記憶された第２の関連関係に基づいて、データ・サイズに対応する既定の時間間隔を決定すること
を含み、
ここで、第２の関連関係は、ユーザ機器に予め記憶される。
【００９７】
図１７は、本開示の例による、伝送ブロックを処理する別の方法を示す概略フローチャートである。図１７に示したように、図１５に示した例に基づいて、既定の時間間隔をユーザ機器に送信することは、
ステップＳ５０４’において、無線リソース制御シグナリングで、複数の時間間隔をユーザ機器に送信すること、および
ステップＳ５０５’において、物理ダウンリンク制御チャネル・メッセージで、複数の時間間隔の中から既定の時間間隔をユーザ機器に指示すること
を含む。
【００９８】
図１８は、本開示の例による、伝送ブロックを処理する別の方法を示す概略フローチャートである。図１８に示したように、図１５に示した例に基づいて、既定の時間間隔をユーザ機器に送信することは、
ステップＳ５０６’において、データ処理能力情報をユーザ機器から受信すること、
ステップＳ５０７’において、データ処理能力情報に基づいて、複数の時間間隔を決定すること、
ステップＳ５０８’において、複数の時間間隔から既定の時間間隔を決定すること、および
ステップＳ５０９’において、無線リソース制御シグナリングまたは物理ダウンリンク制御チャネル・メッセージで、既定の時間間隔をユーザ機器に送信すること
を含む。
【００９９】
図１９は、本開示の例による、伝送ブロックを処理する別の方法を示す概略フローチャートである。図１９に示したように、図１５に示した例に基づいて、既定の時間間隔をユーザ機器に送信することは、
ステップＳ５１０’において、伝送ブロックのデータ・サイズを決定すること、
ステップＳ５１１’において、伝送ブロックのデータ・サイズに基づいて、複数の時間間隔を決定すること、
ステップＳ５１２’において、複数の時間間隔から既定の時間間隔を決定すること、および
ステップＳ５１３’において、無線リソース制御シグナリングまたは物理ダウンリンク制御チャネル・メッセージで、既定の時間間隔をユーザ機器に送信すること
を含む。
【０１００】
伝送ブロックを処理する方法の前述の例に対応して、本開示は、伝送ブロックを処理するための装置の例も提供する。
【０１０１】
図２０は、本開示の例による、伝送ブロックを処理するための装置を示す概略ブロック図である。例で示した装置は、ユーザ機器に適用することができる。ユーザ機器は、ＭＴＣおよび／またはＮＢ−ＩｏＴ技術に基づいてその通信を実装することができ、一般的な携帯電話よりもデータ処理能力が低い。
【０１０２】
図２０に示したように、例による伝送ブロックを処理するための装置は、以下を含むことができる。
【０１０３】
スケジューリング・シグナリングを基地局から受信するように構成されたシグナリング受信モジュール１であって、スケジューリング・シグナリングが、複数の伝送ブロックをスケジュールするように構成される、シグナリング受信モジュール１、ならびに
複数の伝送ブロックを基地局に伝送すること、および／または、複数の伝送ブロックを基地局から受信することを行うように構成された通信モジュール２であって、複数の伝送ブロックのうちの２つの隣接した伝送ブロックが、既定の時間間隔で間隔を空けられる、通信モジュール２。
【０１０４】
図２１は、本開示の例による、伝送ブロックを処理するための別の装置を示す概略ブロック図である。図２１に示したように、図２０に示した例に基づいて、装置は、
通信モジュール２が複数の伝送ブロックを基地局に伝送するか、複数の伝送ブロックを基地局から受信するかの前に、基地局との通信プロトコルに基づいて、既定の時間間隔を決定するように構成された第１の決定モジュール３
をさらに含む。
【０１０５】
図２２は、本開示の例による、伝送ブロックを処理するための別の装置を示す概略ブロック図である。図２２に示したように、図２０に示した例に基づいて、装置は、
通信モジュール２が複数の伝送ブロックを基地局に伝送するか、複数の伝送ブロックを基地局から受信するかの前に、ユーザ機器のデータ処理能力情報に基づいて、既定の時間間隔を決定するように構成された第２の決定モジュール４と、
既定の時間間隔を基地局に送信するように構成された間隔送信モジュール５と
をさらに含む。
【０１０６】
図２３は、本開示の例による、間隔送信モジュールを示す概略ブロック図である。図２３に示したように、図２２に示した例に基づいて、間隔送信モジュール５は、
既定の時間間隔と指示情報との間の予め記憶された第１の関連関係に基づいて、既定の時間間隔に対応する指示情報を決定するように構成された指示決定サブモジュール５０１と、
指示情報を基地局に送信するように構成された指示送信サブモジュール５０２と
を含み、
ここで、第１の関連関係は、基地局に予め記憶される。
【０１０７】
図２４は、本開示の例による、伝送ブロックを処理するための別の装置を示す概略ブロック図である。図２４に示したように、図２０に示した例に基づいて、装置は、
複数の伝送ブロックを基地局に伝送するか、基地局から受信するかの前に、既定の時間間隔を基地局から受信するように構成された間隔受信モジュール６
をさらに含む。
【０１０８】
図２５は、本開示の例による、間隔受信モジュールを示す概略ブロック図である。図２５に示したように、図２４に示した例に基づいて、間隔受信モジュール６は、
伝送ブロックのデータ・サイズを基地局から受信するように構成されたデータ・サイズ受信サブモジュール６０１と、
データ・サイズと既定の時間間隔との間の予め記憶された第２の関連関係に基づいて、データ・サイズに対応する既定の時間間隔を決定するように構成された対応関係決定サブモジュール６０２と
を含み、
ここで、第２の関連関係は、基地局に予め記憶される。
【０１０９】
図２６は、本開示の例による、別の間隔受信モジュールを示す概略ブロック図である。図２６に示したように、図２４に示した例に基づいて、間隔受信モジュール６は、
無線リソース制御シグナリングを受信することによって、複数の時間間隔を決定するように構成されたシグナリング受信サブモジュール６０３と、
物理ダウンリンク制御チャネル・メッセージを受信することによって、複数の時間間隔から既定の時間間隔を決定するように構成されたメッセージ受信サブモジュール６０４と
を含む。
【０１１０】
図２７は、本開示の例による、別の間隔受信モジュールを示す概略ブロック図である。図２７に示したように、図２４に示した例に基づいて、間隔受信モジュール６は、
ユーザ機器のデータ処理能力情報に基づいて、複数の時間間隔を決定するように構成された第１の間隔決定サブモジュール６０５と、
無線リソース制御シグナリングまたは物理ダウンリンク制御チャネル・メッセージを受信することによって、複数の時間間隔から既定の時間間隔を決定するように構成されたメッセージ受信サブモジュール６０６と
を含む。
【０１１１】
図２８は、本開示の例による、別の間隔受信モジュールを示す概略ブロック図である。図２８に示したように、図２４に示した例に基づいて、間隔受信モジュール６は、
伝送ブロックのデータ・サイズを基地局から受信するように構成されたデータ・サイズ受信サブモジュール６０７と、
データ・サイズに基づいて複数の時間間隔を決定するように構成された第２の間隔決定サブモジュール６０８と、
無線リソース制御シグナリングまたは物理ダウンリンク制御チャネル・メッセージを受信することによって、複数の時間間隔から既定の時間間隔を決定するように構成されたメッセージ受信サブモジュール６０９と
を含む。
【０１１２】
図２９は、本開示の例による、伝送ブロックを処理するための装置を示す概略ブロック図である。例で示した伝送ブロックを処理するための装置は、基地局に適用することができる。基地局は、４Ｇベースの基地局または５Ｇ基地局であってもよい。基地局は、図１〜図１０および図２０〜図２８に示した例のユーザ機器と通信することができる。
【０１１３】
図２９に示したように、伝送ブロックを処理するための装置は、
スケジューリング・シグナリングをユーザ機器に送信するように構成されたシグナリング送信モジュール１’であって、スケジューリング・シグナリングが、複数の伝送ブロックをスケジュールするように構成される、シグナリング送信モジュール１’と、
複数の伝送ブロックをユーザ機器に伝送すること、および／または、複数の伝送ブロックをユーザ機器から受信することを行うように構成された通信モジュール２’であって、複数の伝送ブロックのうちの２つの隣接した伝送ブロックが、既定の時間間隔で間隔を空けられる、通信モジュール２’と
を含む。
【０１１４】
図３０は、本開示の例による、伝送ブロックを処理するための別の装置を示す概略ブロック図である。図３０に示したように、図２９に示した例に基づいて、伝送ブロックを処理するための装置は、
複数の伝送ブロックをユーザ機器に伝送すること、または複数の伝送ブロックをユーザ機器から受信することを通信モジュールが行う前に、ユーザ機器との通信プロトコルに基づいて、既定の時間間隔を決定するように構成された間隔決定モジュール３’
をさらに含む。
【０１１５】
図３１は、本開示の例による、伝送ブロックを処理するための別の装置を示す概略ブロック図である。図３１に示したように、図２９に示した例に基づいて、伝送ブロックを処理するための装置は、
複数の伝送ブロックをユーザ機器に伝送すること、または複数の伝送ブロックをユーザ機器から受信することを通信モジュールが行う前に、既定の時間間隔をユーザ機器から受信するように構成された間隔受信モジュール４’
をさらに含む。
【０１１６】
図３２は、本開示の例による、間隔受信モジュールを示す概略ブロック図である。図３２に示したように、図３１に示した例に基づいて、間隔受信モジュール４’は、
既定の時間間隔に対応する指示情報をユーザ機器から受信するように構成された指示受信サブモジュール４０１’と、
既定の時間間隔と指示情報との間の予め記憶された第１の関連関係に基づいて、指示情報に対応する既定の時間間隔を決定するように構成された第１の対応関係決定サブモジュール４０２’と
を含む。
【０１１７】
図３３は、本開示の例による、伝送ブロックを処理するための別の装置を示す概略ブロック図である。図３３に示したように、図２９に示した例に基づいて、伝送ブロックを処理するための装置は、
複数の伝送ブロックをユーザ機器に伝送すること、または複数の伝送ブロックをユーザ機器から受信することを通信モジュールが行う前に、既定の時間間隔をユーザ機器に送信するように構成された間隔送信モジュール５’
をさらに含む。
【０１１８】
図３４は、本開示の例による、間隔送信モジュールを示す概略ブロック図である。図３４に示したように、図３３に示した例に基づいて、間隔送信モジュール５’は、
伝送ブロックのデータ・サイズを決定するように構成されたデータ・サイズ決定サブモジュール５０１’と、
データ・サイズをユーザ機器に送信するように構成されたデータ・サイズ送信サブモジュール５０２’と、
データ・サイズと既定の時間間隔との間の予め記憶された第２の関連関係に基づいて、データ・サイズに対応する既定の時間間隔を決定するように構成された第２の対応関係決定サブモジュール５０３’と
を含み、
ここで、第２の関連関係は、ユーザ機器に予め記憶される。
【０１１９】
図３５は、本開示の例による、別の間隔送信モジュールを示す概略ブロック図である。図３５に示したように、図３３に示した例に基づいて、間隔送信モジュール５’は、
無線リソース制御シグナリングで、複数の時間間隔をユーザ機器に送信するように構成されたシグナリング送信サブモジュール５０４’と、
物理ダウンリンク制御チャネル・メッセージで、複数の時間間隔の中から既定の時間間隔をユーザ機器に指示するように構成されたメッセージ送信サブモジュール５０５’と
を含む。
【０１２０】
図３６は、本開示の例による、別の間隔送信モジュールを示す概略ブロック図である。図３６に示したように、図３３に示した例に基づいて、間隔送信モジュール５’は、
データ処理能力情報をユーザ機器から受信するように構成された情報受信サブモジュール５０６’と
データ処理能力情報に基づいて、複数の時間間隔を決定するように構成された第１の間隔決定サブモジュール５０７’と
複数の時間間隔から既定の時間間隔を決定するように構成された第２の間隔決定サブモジュール５０８’と、
無線リソース制御シグナリングまたは物理ダウンリンク制御チャネル・メッセージで、既定の時間間隔をユーザ機器に送信するように構成された間隔送信サブモジュール５０９’と
を含む。
【０１２１】
図３７は、本開示の例による、別の間隔送信モジュールを示す概略ブロック図である。図３７に示したように、図３３に示した例に基づいて、間隔送信モジュール５’は、
伝送ブロックのデータ・サイズを決定するように構成されたデータ・サイズ決定サブモジュール５１０’と、
伝送ブロックのデータ・サイズに基づいて、複数の時間間隔を決定するように構成された第３の間隔決定サブモジュール５１１’と、
複数の時間間隔から既定の時間間隔を決定するように構成された第４の間隔決定サブモジュール５１２’と、
無線リソース制御シグナリングまたは物理ダウンリンク制御チャネル・メッセージで、既定の時間間隔をユーザ機器に送信するように構成された間隔送信サブモジュール５０９’と
を含む。
【０１２２】
前述の例における装置に関連して、各モジュールがその動作を実施する特定の手法を、対応する方法の例において詳細に説明してきたが、ここでは、繰り返さない。
【０１２３】
装置の例は、方法の例に本質的に対応するので、方法の例の関連部分の説明を参照することができる。上記で説明した装置の例は例証にすぎず、ここで、別個の要素として説明したユニットは、物理的に別個のものであっても、そうでなくてもよく、ユニットとして表示した要素は、物理的なユニットであっても、そうでなくてもよく、すなわち、１つの場所にあってもよく、または、複数のネットワーク・ユニットに分散されてもよい。例の実装形態の目的を達成するための実際の必要性に従って、モジュールのいくつかまたは全てを選択することができる。これは、創造的な努力を全く行わずに、当業者によって理解し、実装することができる。
【０１２４】
図３８は、本開示の例による、伝送ブロックを処理するためのデバイスを示す概略構造図である。デバイス３８００は、基地局として提供することができる。図３８に示したように、デバイス３８００は、処理構成要素３８２２、ワイヤレス伝送／受信構成要素３８２４、アンテナ構成要素３８２６、およびワイヤレス・インターフェースに固有の信号処理部品を含む。処理構成要素３８２２は、１つまたは複数のプロセッサをさらに含むことができる。処理構成要素３８２２内のプロセッサのうちの１つは、前述の例のいずれか１つで説明した伝送ブロックを処理する方法を実施するように構成することができる。
【０１２５】
図３９は、本開示の例による、伝送ブロックを処理するためのデバイス３９００を示す概略構造図である。例えば、デバイス３９００は、携帯電話、コンピュータ、デジタル・ブロードキャスティング端末、メッセージング・デバイス、ゲーム機、タブレット・デバイス、医療デバイス、フィットネス・デバイス、パーソナル・デジタル・アシスタントなどであってもよい。
【０１２６】
図３９に示したように、デバイス３９００は、処理構成要素３９０２、メモリ３９０４、電源構成要素３９０６、マルチメディア構成要素３９０８、オーディオ構成要素３９１０、入出力（Ｉ／Ｏ）インターフェース３９１２、センサ構成要素３９１４、および通信構成要素３９１６という構成要素のうちの１つまたは複数を含むことができる。
【０１２７】
処理構成要素３９０２は、表示、通話、データ通信、カメラ動作、および記録動作に関連した動作など、デバイス３９００の全体的な動作を全体的に制御する。処理構成要素３９０２は、命令を実行して、上記の方法のステップの全てまたは一部を完了させるための、１つまたは複数のプロセッサ３９２０を含むことができる。さらに、処理構成要素３９０２は、処理構成要素３９０２と他の構成要素との間の対話を容易にする１つまたは複数のモジュールを含むことができる。例えば、処理構成要素３９０２は、マルチメディア構成要素３９０８と処理構成要素３９０２との間の対話を容易にするためのマルチメディア・モジュールを含むことができる。
【０１２８】
メモリ３９０４は、デバイス３９００の動作をサポートするための様々なタイプのデータを記憶するように構成される。このようなデータの例は、デバイス３９００上で動作する任意のアプリケーションまたは方法のための命令、連絡先データ、電話帳データ、メッセージ、画像、ビデオ、などを含む。メモリ３９０４は、スタティック・ランダム・アクセス・メモリ（ＳＲＡＭ）、電気的消去可能プログラマブル・リード・オンリ・メモリ（ＥＥＰＲＯＭ）、消去可能プログラマブル・リード・オンリ・メモリ（ＥＰＲＯＭ）、プログラマブル・リード・オンリ・メモリ（ＰＲＯＭ）、リード・オンリ・メモリ（ＲＯＭ）、磁気メモリ、フラッシュ・メモリ、ディスク、または光ディスクなど、任意のタイプの揮発性もしくは不揮発性ストレージ・デバイス、またはその組合せで実装することができる。
【０１２９】
電源構成要素３９０６は、デバイス３９００の種々の構成要素に電力を供給する。電源構成要素３９０６は、電力管理システム、１つまたは複数の電源、ならびに、デバイス３９００の電力の生成、管理、および分配に関連した他の構成要素を含むことができる。
【０１３０】
マルチメディア構成要素３９０８は、デバイス３９００とユーザとの間の出力インターフェースを提供する画面を含む。いくつかの実施形態では、画面は、液晶ディスプレイ（ＬＣＤ）およびタッチ・パネル（ＴＰ：ｔｏｕｃｈ  ｐａｎｅｌ）を含むことができる。画面がＴＰを含む場合、画面は、入力信号をユーザから受信するためのタッチ・スクリーンとして実装することができる。ＴＰは、ＴＰ上のタッチ、スワイプ、およびジェスチャを検知するための１つまたは複数のタッチ・センサを含むことができる。タッチ・センサは、タッチまたはスワイプの境界を検知するだけでなく、タッチまたはスワイプに関連した継続時間および圧力を検知することもできる。いくつかの実施形態では、マルチメディア構成要素３９０８は、前方カメラおよび／または後方カメラを含む。前方カメラおよび／または後方カメラは、写真撮影モードまたはビデオ・モードなどの動作モードにデバイス３９００があるときに、外部マルチメディア・データを受信することができる。各前方カメラおよび後方カメラは、固定式光学レンズ・システムであってもよく、または、焦点距離および光学ズーム能力を有していてもよい。
【０１３１】
オーディオ構成要素３９１０は、オーディオ信号の出力および／または入力を行うように構成される。例えば、オーディオ構成要素３９１０は、通話モード、録音モード、および音声認識モードなどの動作モードにデバイス３９００があるときに、外部オーディオ信号を受信するように構成されたマイクロフォン（ＭＩＣ）を含む。受信したオーディオ信号は、メモリ３９０４にさらに記憶するか、通信構成要素３９１６を介して送信することができる。いくつかの実施形態では、オーディオ構成要素３９１０は、オーディオ信号を出力するためのスピーカも含む。
【０１３２】
Ｉ／Ｏインターフェース３９１２は、処理構成要素３９０２と周辺インターフェース・モジュールとの間のインターフェースを提供する。上記の周辺インターフェース・モジュールは、キーボード、クリック・ホイール、ボタン、または同様のものであってもよい。これらのボタンは、ホーム・ボタン、ボリューム・ボタン、スタート・ボタン、およびロック・ボタンを含むことができるが、これらに限定されない。
【０１３３】
センサ構成要素３９１４は、様々な態様におけるステータス評価をデバイス３９００に提供するための１つまたは複数のセンサを含む。例えば、センサ構成要素３９１４は、デバイス３９００の開いた／閉じた状態、ならびに、デバイス３９００のディスプレイおよびキーパッドなどの構成要素の相対位置を検出することができ、センサ構成要素３９１４は、デバイス３９００またはデバイス３９００の構成要素の位置の変化、デバイス３９００とのユーザ接触の有無、デバイス３９００の方向または加減速、およびデバイス３９００の温度変化も検出することができる。センサ構成要素３９１４は、物理接触が全くなくても、近くの物体の存在を検出するように構成された近接センサを含むことができる。センサ構成要素３９１４は、画像化アプリケーションで使用される相補型金属酸化膜半導体（ＣＭＯＳ）または電荷結合素子（ＣＣＤ）画像センサなどの、光センサをさらに含むことができる。いくつかの実施形態では、センサ構成要素３９１４は、加速度センサ、ジャイロ・センサ、磁気センサ、圧力センサ、または温度センサも含むことができる。
【０１３４】
通信構成要素３９１６は、デバイス３９００と他のデバイスとの間の有線またはワイヤレス通信を容易にするように構成される。デバイス３９００は、ＷｉＦｉ、２Ｇもしくは３Ｇ、またはその組合せなどの通信規格に基づいてワイヤレス・ネットワークにアクセスすることができる。例示的な実施形態では、通信構成要素３９１６は、ブロードキャスト・チャネルを介して外部ブロードキャスト管理システムから放送信号またはブロードキャスト関連情報を受信する。例示的な実施形態では、通信構成要素３９１６は、短距離通信を容易にするための近距離無線通信（ＮＦＣ：ｎｅａｒ  ｆｉｅｌｄ  ｃｏｍｍｕｎｉｃａｔｉｏｎ）モジュールも含む。例えば、ＮＦＣモジュールは、無線自動識別（ＲＦＩＤ）技術、赤外線通信協会（ＩｒＤＡ）技術、超広帯域（ＵＷＢ）技術、Ｂｌｕｅｔｏｏｔｈ（登録商標）（ＢＴ）技術、および他の技術に基づいて実装することができる。
【０１３５】
いくつかの例示的な実施形態では、デバイス３９００は、１つまたは複数の特定用途向け集積回路（ＡＳＩＣ）、デジタル信号プロセッサ（ＤＳＰ）、デジタル信号処理デバイス（ＤＳＰＤ）、プログラマブル・ロジック・デバイス（ＰＬＤ）、フィールド・プログラマブル・ゲート・アレイ（ＦＰＧＡ）、コントローラ、マイクロコントローラ、マイクロプロセッサ、または、上記の例のいずれかで説明した伝送ブロックを処理する方法を実施するための他の電子構成要素によって実装することができる。
【０１３６】
いくつかの例示的な実施形態では、上記の方法を実装するための、デバイス３９００のプロセッサ３９２０によって実行可能な命令を含む、メモリ３９０４などの、命令を含む非一時的コンピュータ可読ストレージ媒体も提供される。例えば、非一時的コンピュータ可読ストレージ媒体は、リード・オンリ・メモリ（ＲＯＭ）、ランダム・アクセス・メモリ（ＲＡＭ）、ＣＤ−ＲＯＭ、磁気テープ、フロッピー・ディスク、光データ・ストレージ・デバイスなどであってもよい。
【０１３７】
本開示の他の実装形態は、本明細書を参照することによって、本開示を実装した後、当業者には容易に明らかになるであろう。本開示は、その一般的な原理による、および、本開示で開示していない当技術分野における共通の一般的な知識または従来の技術的手段を含む、本開示のいずれかの変形形態、用途、または適合を含むことを意図するものである。本明細書およびその例は例証にすぎず、本開示の範囲および精神は、添付の請求の範囲で示すことになる。
【０１３８】
本開示は、図面に示した上記で説明した正確な構造に限定されず、様々な修正および変更を、本開示の範囲から逸脱することなく、本開示に対して行えることを理解されたい。本開示の範囲は、添付の請求の範囲によってのみ限定されることになる。
【０１３９】
本明細書で使用される「第１」および「第２」などの関係語は、１つのエンティティまたは動作を別のエンティティまたは動作と区別することを意図するにすぎず、これらのエンティティまたは動作の間に存在する、いずれかのこのような実際の関係または順序を必要とするまたは意味するのではないことに留意されたい。また、用語「含む（ｉｎｃｌｕｄｉｎｇ）」、「収める（ｃｏｎｔａｉｎｉｎｇ）」、またはそのいずれかの変形形態は、一連の要素を含む処理、方法、物品、またはデバイスが、これらの要素だけでなく、明示的に挙げていない他の要素、または、このような処理、方法、物品、もしくはデバイスに固有のこれらの要素も含むように、非排他的に含むことを包含することを意図するものである。さらに多くの限定なく、文「〜を含む（ｉｎｃｌｕｄｉｎｇ  ａ  ．．．）」によって定義された要素は、要素を含む処理、方法、物品、またはデバイスに存在するさらなる同じ要素を含むことを排除することはないものとする。
【０１４０】
本開示の例によって提供される方法および装置を上記で詳細に説明する。本開示の原理および実装形態を示すために具体例を本開示で使用する。上記の例の説明は、本開示の方法およびその中核のアイデアの理解に役立てるためだけに使用される。その上、当業者は、本開示のアイデアによる特定の実装形態と用途の範囲の両方を変更することができる。要約すれば、本明細書の内容は、本開示を限定するものと解釈されるべきではない。
【図１】
2021532676.tif 000005
【図２Ａ】
2021532676.tif 000006
【図２Ｂ】
2021532676.tif 000007
【図３】
2021532676.tif 000008
【図４】
2021532676.tif 000009
【図５】
2021532676.tif 000010
【図６】
2021532676.tif 000011
【図７】
2021532676.tif 000012
【図８】
2021532676.tif 000013
【図９】
2021532676.tif 000014
【図１０】
2021532676.tif 000015
【図１１】
2021532676.tif 000016
【図１２】
2021532676.tif 000017
【図１３】
2021532676.tif 000018
【図１４】
2021532676.tif 000019
【図１５】
2021532676.tif 000020
【図１６】
2021532676.tif 000021
【図１７】
2021532676.tif 000022
【図１８】
2021532676.tif 000023
【図１９】
2021532676.tif 000024
【図２０】
2021532676.tif 000025
【図２１】
2021532676.tif 000026
【図２２】
2021532676.tif 000027
【図２３】
2021532676.tif 000028
【図２４】
2021532676.tif 000029
【図２５】
2021532676.tif 000030
【図２６】
2021532676.tif 000031
【図２７】
2021532676.tif 000032
【図２８】
2021532676.tif 000033
【図２９】
2021532676.tif 000034
【図３０】
2021532676.tif 000035
【図３１】
2021532676.tif 000036
【図３２】
2021532676.tif 000037
【図３３】
2021532676.tif 000038
【図３４】
2021532676.tif 000039
【図３５】
2021532676.tif 000040
【図３６】
2021532676.tif 000041
【図３７】
2021532676.tif 000042
【図３８】
2021532676.tif 000043
【図３９】
2021532676.tif 000044
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
伝送ブロックを処理する方法であって、ユーザ機器に適用され、
スケジューリング・シグナリングを基地局から受信するステップであって、該スケジューリング・シグナリングが、複数の伝送ブロックをスケジュールするように構成される、ステップと、
該複数の伝送ブロックの伝送を、該基地局を用いて実行するステップと、を含み、
該複数の伝送ブロックのうちの２つの隣接した伝送ブロックが、既定の時間間隔で間隔を空けられ、
該伝送は、アップリンク伝送またはダウンリンク伝送のいずれかである、方法。
【請求項２】
前記複数の伝送ブロックの伝送を、前記基地局を用いて実行するステップの前に、前記基地局との通信プロトコルに基づいて、前記既定の時間間隔を決定するステップ
をさらに含む、請求項１に記載の方法。
【請求項３】
前記複数の伝送ブロックの伝送を、前記基地局を用いて実行するステップの前に、前記ユーザ機器のデータ処理能力情報に基づいて、前記既定の時間間隔を決定するステップと、
前記既定の時間間隔を前記基地局に送信するステップと
をさらに含む、請求項１に記載の方法。
【請求項４】
前記既定の時間間隔を前記基地局に送信するステップが、
既定の時間間隔と指示情報との間の予め記憶された第１の関連関係に基づいて、前記既定の時間間隔に対応する指示情報を決定するステップと、
該指示情報を前記基地局に送信するステップと
を含み、
該第１の関連関係が、前記ユーザ機器および前記基地局に予め記憶される、
請求項３に記載の方法。
【請求項５】
前記複数の伝送ブロックの伝送を、前記基地局を用いて実行するステップの前に、前記既定の時間間隔を前記基地局から受信するステップ
をさらに含む、請求項１に記載の方法。
【請求項６】
前記既定の時間間隔を前記基地局から受信するステップが、
伝送ブロックのデータ・サイズを前記基地局から受信するステップと、
データ・サイズと既定の時間間隔との間の予め記憶された第２の関連関係に基づいて、該データ・サイズに対応する前記既定の時間間隔を決定するステップと
を含み、
該第２の関連関係が、前記ユーザ機器および前記基地局に予め記憶される、
請求項５に記載の方法。
【請求項７】
前記既定の時間間隔を前記基地局から受信するステップが、
無線リソース制御シグナリングを受信することによって、複数の時間間隔を決定するステップと、
物理ダウンリンク制御チャネル・メッセージを受信することによって、該複数の時間間隔から前記既定の時間間隔を決定するステップと
を含む、請求項５に記載の方法。
【請求項８】
前記既定の時間間隔を前記基地局から受信するステップが、
前記ユーザ機器のデータ処理能力情報に基づいて、複数の時間間隔を決定するステップと、
無線リソース制御シグナリングまたは物理ダウンリンク制御チャネル・メッセージを受信することによって、該複数の時間間隔から前記既定の時間間隔を決定するステップと
を含む、請求項５に記載の方法。
【請求項９】
前記既定の時間間隔を前記基地局から受信するステップが、
伝送ブロックのデータ・サイズを前記基地局から受信するステップと、
該データ・サイズに基づいて複数の時間間隔を決定するステップと、
無線リソース制御シグナリングまたは物理ダウンリンク制御チャネル・メッセージを受信することによって、該複数の時間間隔から前記既定の時間間隔を決定するステップと
を含む、請求項５に記載の方法。
【請求項１０】
前記ユーザ機器が、狭帯域のモノのインターネット（ＮＢ−ＩｏＴ）タイプのデバイス、または、マシン・タイプ・コミュニケーション（ＭＴＣ）タイプのデバイスである、請求項１に記載の方法。
【請求項１１】
伝送ブロックを処理する方法であって、基地局に適用され、
スケジューリング・シグナリングをユーザ機器に送信するステップであって、該スケジューリング・シグナリングが、複数の伝送ブロックをスケジュールするように構成される、ステップと、
該複数の伝送ブロックの伝送を、該ユーザ機器を用いて実行するステップと、を含み、
該複数の伝送ブロックのうちの２つの隣接した伝送ブロックが、既定の時間間隔で間隔を空けられ、
該伝送は、アップリンク伝送またはダウンリンク伝送のいずれかである、方法。
【請求項１２】
前記複数の伝送ブロックの伝送を、前記ユーザ機器を用いて実行するステップの前に、前記ユーザ機器との通信プロトコルに基づいて、前記既定の時間間隔を決定するステップ
をさらに含む、請求項１１に記載の方法。
【請求項１３】
前記複数の伝送ブロックの伝送を、前記ユーザ機器を用いて実行するステップの前に、前記既定の時間間隔を前記ユーザ機器から受信するステップ
をさらに含む、請求項１１に記載の方法。
【請求項１４】
前記既定の時間間隔を前記ユーザ機器から受信するステップが、
前記既定の時間間隔に対応する指示情報を前記ユーザ機器から受信するステップと、
既定の時間間隔と指示情報との間の予め記憶された第１の関連関係に基づいて、該指示情報に対応する前記既定の時間間隔を決定するステップと
を含む、請求項１３に記載の方法。
【請求項１５】
前記複数の伝送ブロックの伝送を、前記ユーザ機器を用いて実行するステップの前に、前記既定の時間間隔を前記ユーザ機器に送信するステップ
をさらに含む、請求項１１に記載の方法。
【請求項１６】
前記既定の時間間隔を前記ユーザ機器に送信するステップが、
伝送ブロックのデータ・サイズを決定するステップと、
該データ・サイズを前記ユーザ機器に送信するステップと、
データ・サイズと既定の時間間隔との間の予め記憶された第２の関連関係に基づいて、該データ・サイズに対応する前記既定の時間間隔を決定するステップと
を含み、
該第２の関連関係が、前記ユーザ機器および前記基地局に予め記憶される、
請求項１５に記載の方法。
【請求項１７】
前記既定の時間間隔を前記ユーザ機器に送信するステップが、
無線リソース制御シグナリングで、複数の時間間隔を前記ユーザ機器に送信するステップと、
物理ダウンリンク制御チャネル・メッセージで、該複数の時間間隔の中から前記既定の時間間隔を前記ユーザ機器に指示するステップと
を含む、請求項１５に記載の方法。
【請求項１８】
前記既定の時間間隔を前記ユーザ機器に送信するステップが、
データ処理能力情報を前記ユーザ機器から受信するステップと、
該データ処理能力情報に基づいて、複数の時間間隔を決定するステップと、
該複数の時間間隔から前記既定の時間間隔を決定するステップと、
無線リソース制御シグナリングまたは物理ダウンリンク制御チャネル・メッセージで、前記既定の時間間隔を前記ユーザ機器に送信するステップと
を含む、請求項１５に記載の方法。
【請求項１９】
前記既定の時間間隔を前記ユーザ機器に送信するステップが、
伝送ブロックのデータ・サイズを決定するステップと、
伝送ブロックの該データ・サイズに基づいて複数の時間間隔を決定するステップと、
該複数の時間間隔から前記既定の時間間隔を決定するステップと、
無線リソース制御シグナリングまたは物理ダウンリンク制御チャネル・メッセージで、前記既定の時間間隔を前記ユーザ機器に送信するステップと
を含む、請求項１５に記載の方法。
【請求項２０】
前記ユーザ機器が、狭帯域のモノのインターネット（ＮＢ−ＩｏＴ）タイプのデバイス、または、マシン・タイプ・コミュニケーション（ＭＴＣ）タイプのデバイスである、請求項１１に記載の方法。
【請求項２１】
伝送ブロックを処理する方法であって、ユーザ機器に適用され、
スケジューリング・シグナリングを基地局から受信するステップであって、該スケジューリング・シグナリングが、複数の伝送ブロックをスケジュールするように構成される、ステップと、
該複数の伝送ブロックの伝送を、該基地局を用いて実行するステップと、を含み、
該複数の伝送ブロックのうちの２つの隣接した伝送ブロックが、既定の時間間隔で間隔を空けられ、
該伝送は、アップリンク伝送またはダウンリンク伝送のいずれかであり、
該既定の時間間隔の間、伝送が実行されず、
該ユーザ機器が、狭帯域のモノのインターネット（ＮＢ−ＩｏＴ）タイプのデバイス、または、マシン・タイプ・コミュニケーション（ＭＴＣ）タイプのデバイスである、方法。
【手続補正２】
【補正対象書類名】明細書
【補正対象項目名】００５５
【補正方法】変更
【補正の内容】
【００５５】
本開示のいくつかの例によれば、伝送ブロックのうちの２つの隣接した伝送ブロックは、既定の時間間隔で間隔を空けられる。したがって、従来技術における伝送ブロックが連続的にスケジュールされるケースに比べて、ユーザ機器は、伝送ブロックが正しく伝送され、受信されることを保証するために、伝送ブロックのそれぞれに対応するリソースを処理するのに、より多くの時間を掛けることができる。つまり、既定の時間間隔の間、伝送は実行されない。
【手続補正３】
【補正対象書類名】明細書
【補正対象項目名】０１２４
【補正方法】変更
【補正の内容】
【０１２４】
図３８は、本開示の例による、伝送ブロックを処理するためのデバイスを示す概略構造図である。デバイス３８００は、基地局として提供することができる。図３８に示したように、デバイス３８００は、処理構成要素３８２２、ワイヤレス伝送／受信構成要素３８２４、アンテナ構成要素３８２６、およびワイヤレス・インターフェースに固有の信号処理部品を含む。処理構成要素３８２２は、１つまたは複数のプロセッサをさらに含むことができる。処理構成要素３８２２内のプロセッサのうちの１つは、図１１〜１９に示される前述の例のいずれか１つで説明した伝送ブロックを処理する方法を実施するように構成することができる。
【手続補正４】
【補正対象書類名】明細書
【補正対象項目名】０１２７
【補正方法】変更
【補正の内容】
【０１２７】
処理構成要素３９０２は、表示、通話、データ通信、カメラ動作、および記録動作に関連した動作など、デバイス３９００の全体的な動作を全体的に制御する。処理構成要素３９０２は、命令を実行して、図１〜１０に示される上記の方法のステップの全てまたは一部を完了させるための、１つまたは複数のプロセッサ３９２０を含むことができる。さらに、処理構成要素３９０２は、処理構成要素３９０２と他の構成要素との間の対話を容易にする１つまたは複数のモジュールを含むことができる。例えば、処理構成要素３９０２は、マルチメディア構成要素３９０８と処理構成要素３９０２との間の対話を容易にするためのマルチメディア・モジュールを含むことができる。
【手続補正５】
【補正対象書類名】明細書
【補正対象項目名】０１３６
【補正方法】変更
【補正の内容】
【０１３６】
いくつかの例示的な実施形態では、図１〜１０に示される上記の方法を実装するための、デバイス３９００のプロセッサ３９２０によって実行可能な命令を含む、メモリ３９０４などの、命令を含む非一時的コンピュータ可読ストレージ媒体も提供される。例えば、非一時的コンピュータ可読ストレージ媒体は、リード・オンリ・メモリ（ＲＯＭ）、ランダム・アクセス・メモリ（ＲＡＭ）、ＣＤ−ＲＯＭ、磁気テープ、フロッピー・ディスク、光データ・ストレージ・デバイスなどであってもよい。
【手続補正６】
【補正対象書類名】図面
【補正対象項目名】図２７
【補正方法】変更
【補正の内容】
【図２７】
2021532676.tif 000045
【手続補正７】
【補正対象書類名】図面
【補正対象項目名】図３６
【補正方法】変更
【補正の内容】
【図３６】
2021532676.tif 000046
【手続補正８】
【補正対象書類名】図面
【補正対象項目名】図３８
【補正方法】変更
【補正の内容】
【図３８】
2021532676.tif 000047
【国際調査報告】
2021532676.tif 000048
2021532676.tif 000049
2021532676.tif 000050
2021532676.tif 000051